(57)【要約】【課題】画面全体的に変化する輝度ムラは無視し、局所的に島状になった輝度ムラのみをＮＧ判定することができるディスプレイ検査方法を提供する。【解決手段】水平または垂直方向に連続して接する３つの微小エリアＡ１、Ａ２、Ａ３のブロックを画面全体に亘って所定のピッチで走査し、前記３つの微小エリアＡ１、Ａ２、Ａ３内の各平均輝度値Ｌ１、Ｌ２、Ｌ３を求め、両サイドブロックＡ１、Ａ３における平均輝度値Ｌ１からＬ３への変化に対する真ん中の微小エリアＡ２における輝度Ｌ２の出っ張り量（ｂｄ間距離）によって、水平または垂直方向における局所的な輝度ムラ判定値を各走査位置ごとに求め、その最大判定値が所定範囲以内か否かにより、輝度ムラ良否判定を行う。色度ムラの良否判定も同様に行う。【選択図】  図８
2005127846.tif 000002
【特許請求の範囲】
【請求項１】
画面を縦方向と横方向においてそれぞれ等分割することにより矩形の微小エリアを設定し、水平または垂直方向に連続して接する３つの前記微小エリアを画面全体に亘って所定のピッチで走査し、前記３つの微小エリア内の各平均輝度値Ｌ１、Ｌ２、Ｌ３および平均色度値ｘ１、ｙ１、ｘ２、ｙ２、ｘ３、ｙ３を下記の式に代入することにより算出される輝度ムラ判定値ＬＤおよび色度ムラ判定値ＸＤ、ＹＤを各走査位置ごとに算出し、算出した全走査位置の各判定値により輝度ムラおよび色度ムラの良否判定を行うことを特徴とするディスプレイ検査方法。
LD = ABS(D/SQR((L1-L3)^2+D^2)*((L1+L3)/2-L2))
XD = ABS(D/SQR((x1-x3)^2+D^2)*((x1+x3)/2-x2))
YD = ABS(D/SQR((y1-y3)^2+D^2)*((y1+y3)/2-y2))
ここで、Dは両サイドの微小エリア間の距離、ABS(x)はｘの絶対値、SQR(x)はｘの平方根、x^yはｘのｙ乗、x*yはｘとｙの積である。
【請求項２】
画面を縦方向と横方向においてそれぞれ等分割することにより矩形の微小エリアを設定し、水平または垂直方向に連続して接する３つの前記微小エリアを画面全体に亘って所定のピッチで走査し、前記３つの微小エリア内の各平均輝度値Ｌ１、Ｌ２、Ｌ３および平均色度値ｘ１、ｙ１、ｘ２、ｙ２、ｘ３、ｙ３を求め、両サイドのエリアの平均輝度値Ｌ１、Ｌ３および平均色度値ｘ１、ｙ１、ｘ３、ｙ３の平均値(L1+L3)/2および(x1+x3)/2、(y1+y3)/2と、真ん中のエリアの平均輝度値Ｌ２および平均色度値ｘ２、ｙ２との差を各走査位置ごとに求めることにより、輝度ムラおよび色度ムラの良否判定を行うことを特徴とするディスプレイ検査方法。
【請求項３】
画面中心に所定の矩形エリアを設定して該矩形エリア内の輝度値Ｌｃおよび色度値xc、ycを算出し、該算出された画面中心の輝度および色度が予め設定された許容範囲内に入っているか否かを判定し、次に、画面周辺に位置する前記微小エリアにおける各平均輝度および平均色度と、前記画面中心の輝度および色度との差分値をそれぞれ算出し、その最大値が予め設定された許容範囲内に入っているか否かを判定し、これらの判定をクリアしたものに対して、請求項１または２に記載の良否判定を行うことを特徴とするディスプレイ検査方法。
【請求項４】
カラーディスプレイ装置の表示画面を撮像した表示画面画像を取得する画像取得手段と、
取得した前記表示画面画像を縦方向と横方向においてそれぞれ等分割することにより矩形の微小エリアを設定し、水平または垂直方向に連続して接する３つの前記微小エリアを画面全体に亘って所定のピッチで走査して、前記３つの微小エリア内の各平均輝度値Ｌ１、Ｌ２、Ｌ３および平均色度値ｘ１、ｙ１、ｘ２、ｙ２、ｘ３、ｙ３を求める手段と、
求められた前記３つの微小エリア内の各平均輝度値Ｌ１、Ｌ２、Ｌ３および平均色度値ｘ１、ｙ１、ｘ２、ｙ２、ｘ３、ｙ３を下記の式に代入することにより輝度ムラ判定値ＬＤおよび色度ムラ判定値ＸＤ、ＹＤを各走査位置ごとに算出する手段と、
前記算出した全走査位置の各判定値により輝度ムラおよび色度ムラの良否判定を行う手段とを備えていることを特徴とするディスプレイ検査装置。
LD = ABS(D/SQR((L1-L3)^2+D^2)*((L1+L3)/2-L2))
XD = ABS(D/SQR((x1-x3)^2+D^2)*((x1+x3)/2-x2))
YD = ABS(D/SQR((y1-y3)^2+D^2)*((y1+y3)/2-y2))
ここで、Dは両サイドの微小エリア間の距離、ABS(x)はｘの絶対値、SQR(x)はｘの平方根、x^yはｘのｙ乗、x*yはｘとｙの積である。
【請求項５】
カラーディスプレイ装置の表示画面を撮像した表示画面画像を取得する画像取得手段と、
取得した前記表示画面画像を縦方向と横方向においてそれぞれ等分割することにより矩形の微小エリアを設定し、水平または垂直方向に連続して接する３つの前記微小エリアを画面全体に亘って所定のピッチで走査して、前記３つの微小エリア内の各平均輝度値Ｌ１、Ｌ２、Ｌ３および平均色度値ｘ１、ｙ１、ｘ２、ｙ２、ｘ３、ｙ３を求める手段と、
求められた前記３つの微小エリアの各平均輝度値Ｌ１、Ｌ２、Ｌ３および平均色度値ｘ１、ｙ１、ｘ２、ｙ２、ｘ３、ｙ３から、両サイドのエリアの平均輝度値Ｌ１、Ｌ３および平均色度値ｘ１、ｙ１、ｘ３、ｙ３の平均値(L1+L3)/2および(x1+x3)/2、(y1+y3)/2と、真ん中のエリアの平均輝度値Ｌ２および平均色度値ｘ２、ｙ２との差により、輝度ムラ判定値および色度ムラ判定値を各走査位置ごとに算出する手段と、
前記算出した全走査位置の各判定値により輝度ムラおよび色度ムラの良否判定を行う手段とを備えていることを特徴とするディスプレイ検査装置。
【請求項６】
取得した前記表示画面の中心に所定の矩形エリアを設定して該矩形エリア内の輝度値Ｌｃおよび色度値xc、ycを算出する手段と、該算出された画面中心の輝度および色度が予め設定された許容範囲内に入っているか否かを判定する手段と、画面周辺に位置する前記微小エリアにおける各平均輝度および平均色度と前記画面中心の輝度および色度との差分値をそれぞれ算出し、その最大値が予め設定された許容範囲内に入っているか否かを判定する手段を備えていることを特徴とする請求項４または５に記載のディスプレイ検査装置。
【発明の詳細な説明】
【技術分野】
【０００１】
本発明は、ＬＣＤディスプレイ等の検査方法に関し、特にディスプレイの表示品位の検査方法および装置に関する。
【背景技術】
【０００２】
従来カラーディスプレイ等の輝度ムラや色ムラを評価する方法として、表示画面を撮像し、撮像された画像中の任意の点と他の点との輝度差、色度差を算出し、複数点において算出される輝度差、色度差の絶対値の総和に基づいて画面全体の輝度ムラ、色ムラを評価する方法（特許文献１）、あるいは、カラーディスプレイ装置の表示画面を撮像した画像上の任意の点である評価点の評価点色度と、その評価点の周囲の限定された範囲における周囲平均色度とを求め、これら評価点色度と周囲平均色度との差が予め設定された閾値を超える場合にその超えた量に応じた数値を評価点の評価値とし、表示画面上の複数の評価値の合計値をカラーディスプレイの表示画面全体の色むら値として評価する方法（特許文献２）等が知られている。
【０００３】
【特許文献１】特開平１０−２８００号公報
【特許文献２】特開２００３−５７１４６号公報
【発明の開示】
【発明が解決しようとする課題】
【０００４】
検査対象ディスプレイに表示した検査用画面をＣＣＤカメラで撮像し、撮像した画像データをパーソナルコンピュータに入力して画像処理することにより、ディスプレイの表示品位の検査を自動で行う従来のカラーディスプレイ評価方法では、画面全体にわたる輝度ムラ、色ムラの評価は可能であるが、輝度ムラが局所的に島状に生じているような場合には正確な評価を行うことが困難である。
【０００５】
例えば、ＬＣＤディスプレイのバックライトの輝度ムラのような画面全体的に変化する輝度ムラは良品とするが局所的に島状になった輝度ムラは同程度の輝度差でも目立つため不良品とするというような場合に、従来の評価方法では、画面全体的な輝度変化と局所的な輝度変化との判別が困難なため、局所的に島状になった輝度ムラの不良品を見逃したり、画面全体的に変化する良品の輝度ムラを不良品と判定してしまうという問題があった。
【０００６】
本発明の目的は、上記問題点に鑑み、ディスプレイ検査装置において、画面全体的に変化する輝度ムラは無視し、局所的に島状になった輝度ムラのみをＮＧ判定することができるディスプレイ検査方法を提供することにある。
【課題を解決するための手段】
【０００７】
本発明のディスプレイ検査方法は、画面を縦方向と横方向においてそれぞれ等分割することにより矩形の微小エリアを設定し、水平または垂直方向に連続して接する３つの前記微小エリアを画面全体に亘って所定のピッチで走査し、前記３つの微小エリア内の各平均輝度値Ｌ１、Ｌ２、Ｌ３および平均色度値ｘ１、ｙ１、ｘ２、ｙ２、ｘ３、ｙ３を下記の式に代入することにより算出される輝度ムラ判定値ＬＤおよび色度ムラ判定値ＸＤ、ＹＤを各走査位置ごとに算出し、算出した全走査位置の各判定値により輝度ムラおよび色度ムラの良否判定を行うことを特徴とする。
LD = ABS(D/SQR((L1-L3)^2+D^2)*((L1+L3)/2-L2))
XD = ABS(D/SQR((x1-x3)^2+D^2)*((x1+x3)/2-x2))
YD = ABS(D/SQR((y1-y3)^2+D^2)*((y1+y3)/2-y2))
ここで、Dは両サイドの微小エリア間の距離、ABS(x)はｘの絶対値、SQR(x)はｘの平方根、x^yはｘのｙ乗、x*yはｘとｙの積である。
【０００８】
本発明の別のディスプレイ検査方法は、画面を縦方向と横方向においてそれぞれ等分割することにより矩形の微小エリアを設定し、水平または垂直方向に連続して接する３つの前記微小エリアを画面全体に亘って所定のピッチで走査し、前記３つの微小エリア内の各平均輝度値Ｌ１、Ｌ２、Ｌ３および平均色度値ｘ１、ｙ１、ｘ２、ｙ２、ｘ３、ｙ３を求め、両サイドのエリアの平均輝度値Ｌ１、Ｌ３および平均色度値ｘ１、ｙ１、ｘ３、ｙ３の平均値(L1+L3)/2および(x1+x3)/2、(y1+y3)/2と、真ん中のエリアの平均輝度値Ｌ２および平均色度値ｘ２、ｙ２との差を各走査位置ごとに求めることにより、輝度ムラおよび色度ムラの良否判定を行うことを特徴とする。
【０００９】
また、本発明のディスプレイ検査装置は、カラーディスプレイ装置の表示画面を撮像した表示画面画像を取得する画像取得手段と、取得した前記表示画面画像を縦方向と横方向においてそれぞれ等分割することにより矩形の微小エリアを設定し、水平または垂直方向に連続して接する３つの前記微小エリアを画面全体に亘って所定のピッチで走査して、前記３つの微小エリア内の各平均輝度値Ｌ１、Ｌ２、Ｌ３および平均色度値ｘ１、ｙ１、ｘ２、ｙ２、ｘ３、ｙ３を求める手段と、求められた前記３つの微小エリア内の各平均輝度値Ｌ１、Ｌ２、Ｌ３および平均色度値ｘ１、ｙ１、ｘ２、ｙ２、ｘ３、ｙ３を下記の式に代入することにより輝度ムラ判定値ＬＤおよび色度ムラ判定値ＸＤ、ＹＤを各走査位置ごとに算出する手段と、前記算出した全走査位置の各判定値により輝度ムラおよび色度ムラの良否判定を行う手段とを備えていることを特徴とする。
LD = ABS(D/SQR((L1-L3)^2+D^2)*((L1+L3)/2-L2))
XD = ABS(D/SQR((x1-x3)^2+D^2)*((x1+x3)/2-x2))
YD = ABS(D/SQR((y1-y3)^2+D^2)*((y1+y3)/2-y2))
ここで、Dは両サイドの微小エリア間の距離、ABS(x)はｘの絶対値、SQR(x)はｘの平方根、x^yはｘのｙ乗、x*yはｘとｙの積である。
【００１０】
本発明の別のディスプレイ検査装置は、カラーディスプレイ装置の表示画面を撮像した表示画面画像を取得する画像取得手段と、取得した前記表示画面画像を縦方向と横方向においてそれぞれ等分割することにより矩形の微小エリアを設定し、水平または垂直方向に連続して接する３つの前記微小エリアを画面全体に亘って所定のピッチで走査して、前記３つの微小エリア内の各平均輝度値Ｌ１、Ｌ２、Ｌ３および平均色度値ｘ１、ｙ１、ｘ２、ｙ２、ｘ３、ｙ３を求める手段と、求められた前記３つの微小エリアの各平均輝度値Ｌ１、Ｌ２、Ｌ３および平均色度値ｘ１、ｙ１、ｘ２、ｙ２、ｘ３、ｙ３から、両サイドの平均輝度値Ｌ１、Ｌ３および平均色度値ｘ１、ｙ１、ｘ３、ｙ３の平均値(L1+L3)/2および(x1+x3)/2、(y1+y3)/2と、真ん中のブロックの平均輝度値Ｌ２および平均色度値ｘ２、ｙ２との差により、輝度ムラ判定値および色度ムラ判定値を各走査位置ごとに算出する手段と、前記算出した全走査位置の各判定値により輝度ムラおよび色度ムラの良否判定を行う手段とを備えていることを特徴とする。
【発明の効果】
【００１１】
本発明によれば、画面全体での輝度の変化は無視して局所的に島状になった輝度ムラのみを抽出することが可能であるので、例えば、ＬＣＤディスプレイにおけるバックライトの輝度ムラのような画面全体的に変化する輝度ムラは良品とするが、局所的に島状になった輝度ムラは同程度の輝度差でも目立つため不良品とするというような場合に、画面全体的に変化する輝度ムラは無視し局所的に島状になった輝度ムラのみをＮＧ判定することが可能となる。
【発明を実施するための最良の形態】
【００１２】
図１は、携帯電話機のディスプレイを検査対象とした本発明のディスプレイ検査装置の実施形態を示す概念図である。
【００１３】
本実施形態のディスプレイ検査装置は、検査対象のディスプレイ１−１と１−２を備えた携帯電話１と、ディスプレイ１−１の画面を撮像するＣＣＤカメラ２と、ディスプレイ１−２の画面を撮像するＣＣＤカメラ３と、ＣＣＤカメラ２、３から出力される映像信号をＡ／Ｄ変換する画像入力ボード４と、携帯電話１に供給する電源を生成するＤＣ電源５と、ＤＣ電源５から供給される電源を携帯電話１に接続する回路とＣＣＤカメラ２、３の電源回路とＣＣＤカメラ２、３から出力される映像信号を画像入力ボード４に接続する回路と携帯電話１を制御するための通信用回路とを備えたＩ／Ｆボックス６と、Ｉ／Ｆボックス６を介して携帯電話１を制御することによりディスプレイ１−１と１−２に検査用画面を表示するとともにＩ／Ｆボックス６および画像入力ボード４を介して入力したＣＣＤカメラ２、３の画像データを画像処理してディスプレイ２、３の表示品位を自動検査するパーソナルコンピュータ等からなる自動検査制御装置（以下、パーソナルコンピュータという）７と、パーソナルコンピュータ７からの出力により検査結果を表示するディスプレイ８より構成される。
【００１４】
図２は、本実施形態のディスプレイ検査装置の動作フローチャートを示している。また、図３〜図７は、本実施形態における画像データの処理を説明するための図であり、図８は、本実施形態における画像データの局所輝度ムラ判定値の算出方法を説明するための図である。以下、図１〜図８を参照して、本実施形態の動作について説明する。
【００１５】
最初に、パーソナルコンピュータ７は、Ｉ／Ｆボックス６を介して携帯電話１を制御し、ディスプレイ１−１に全白画面を表示させる。次に、パーソナルコンピュータ７は、Ｉ／Ｆボックス６および画像入力ボード４を介してＣＣＤカメラ２の撮像画像データを入力する。ＣＣＤカメラ２は、その視界の中にディスプレイ１−１の画面全体が入るように設置されているので、入力した画像データ９は図３に示すようなデータとなる。
【００１６】
次に、パーソナルコンピュータ７は、入力した画像データ９中の画面位置を、図４に示す画面位置検出方法に従って検出する。
【００１７】
まず、パーソナルコンピュータ７は、画像データ９の上端から下方向に輪郭線検出を行うことにより画面上側輪郭線１０−１を示す１次式を算出する。次に、画像データ９の下端から上方向に輪郭線検出を行うことにより画面下側輪郭線１０−２を示す１次式を算出する。次に、画像データ９の左端から右方向に輪郭線検出を行うことにより画面左側輪郭線１０−３を示す１次式を算出する。次に、画像データ９の右端から左方向に輪郭線検出を行うことにより画面右側輪郭線１０−４を示す１次式を算出する。以上の処理を行うことにより、輪郭線１０−１〜１０−４で囲まれた範囲が画面位置であると認識できる。
【００１８】
次に、パーソナルコンピュータ７は、入力した画像データ９の画面中心輝度、色度を、図４に示す画面中心輝度、色度の算出方法に従って算出する。
【００１９】
まず、パーソナルコンピュータ７は、画面中心１０ｍｍの矩形エリア１１内の画素値Ｒ（赤色成分）、Ｇ（緑色成分）、Ｂ（青色成分）の平均値Rc、Gc、Bcを算出する。そして、〔式１−１〕〔式１−２〕〔式１−３〕により、Rc、Gc、BcをＸＹＺ表色系の３刺激値Xc、Yc、Zcに変換し、さらに〔式２−１〕〔式２−２〕〔式２−３〕により、Xc、Yc、Zcを色座標ｘc、ycと輝度値Lcに変換する。
X = 0.607R + 0.174G + 0.201B ・・・〔式1-1〕
Y = 0.299R + 0.587G + 0.114B ・・・〔式1-2〕
Z =          0.066G + 1.117B ・・・〔式1-3〕
x = X / (X + Y + Z) ・・・ 〔式2-1〕
y = Y / (X + Y + Z) ・・・ 〔式2-2〕
L = Y               ・・・ 〔式2-1〕
X、Y、Z : XYZ表色系の3刺激値
R、G、B : 3原色刺激値
x、y   : 色座標
L     : 輝度
【００２０】
次に、パーソナルコンピュータ７は、輝度値Lcおよび色座標xc、ycがあらかじめ設定した許容範囲内に入っているかどうかを判定し、許容範囲内に入っていない場合には検査結果ＮＧであることをディスプレイ８に表示して検査を終了する。
【００２１】
輝度値Lcおよび色座標xc、ycが許容範囲内に入っている場合、パーソナルコンピュータ７は、周辺輝度ムラ、周辺色度ムラ判定値を、図５に示す周辺輝度ムラ、周辺色度ムラ判定値の算出方法方法に従って算出する。
【００２２】
まず、パーソナルコンピュータ７は、画面を縦６分割、横８分割に等分割する微小エリアの位置を算出し、各エリアのうち画面周辺部に位置する２４個の画面周辺エリア１２の各微小エリアにおける平均輝度、平均色度を〔式１−１〕〜〔式１−３〕および〔式２−１〕〜〔式２−３〕を用いて算出する。
【００２３】
そして、画面周辺エリア１２内の２４個の微小エリアにおける各平均輝度、平均色度と画面中心１０ｍｍ矩形エリア１１の平均輝度、平均色度との差分値をそれぞれ算出し、２４個の差分輝度および差分色度の最大値を周辺輝度ムラ判定値および周辺色度ムラ判定値とする。
【００２４】
次に、パーソナルコンピュータ７は、周辺輝度ムラ判定値および周辺色度ムラ判定値があらかじめ設定した許容範囲内に入っているかどうかを判定し、許容範囲内に入っていない場合には検査結果ＮＧであることをディスプレイ８に表示して検査を終了する。
【００２５】
周辺輝度ムラ判定値および周辺色度ムラ判定値が許容範囲内に入っている場合、パーソナルコンピュータ７は、局所輝度ムラ、局所色度ムラ判定値を、図６〜図８に示す局所輝度ムラ、局所色度ムラ判定値の算出方法に従って算出する。
【００２６】
水平方向局所輝度ムラ判定値および水平方向局所色度ムラ判定値を算出する場合には、図６に示すように、パーソナルコンピュータ７は、画面の左上端に接する縦幅Ｖ／６（Ｖは画面縦幅）、横幅Ｈ／８（Ｈは画面横幅）のエリアＡ１と、Ａ１の右に接する同じ形状のエリアＡ２と、Ａ２の右に接する同じ形状のエリアＡ３の位置を算出し、各エリア内の平均輝度Ｌ１〜Ｌ３と平均色度ｘ１〜ｘ３、ｙ１〜ｙ３を算出する。
【００２７】
そして、Ｌ１〜Ｌ３、ｘ１〜ｘ３およびｙ１〜ｙ３を〔式３−１〕〜〔式３−３〕に代入することにより、Diff_L_H、Diff_x_HおよびDiff_y_Hを算出する。続いて、Ａ１、Ａ２、Ａ３のブロックを右方向にＨ／１６だけずらした位置のDiff_L_H、Diff_x_H、Diff_y_Hを算出する。さらに続けて右方向にＨ／１６だけずらしながらＡ３が画面の右端に接するまで各位置でのDiff_L_H、Diff_x_H、Diff_y_Hを算出する。
【００２８】
そして、Ａ３が画面の右端に接したら、次はＡ１、Ａ２、Ａ３のブロックをＶ／１２だけ下にずらし再び左端から右端までＨ／１６ピッチでずらしながらDiff_L_H、Diff_x_H、Diff_y_Hを算出する。そして、Ａ１、Ａ２、Ａ３のブロックが右下端に達するまで同様なピッチでずらしながらDiff_L_H、Diff_x_H、Diff_y_Hを算出する。Ａ１、Ａ２、Ａ３のブロックが右下端に達したら、それまで算出したDiff_L_H、Diff_x_H、Diff_y_Hそれぞれの最大値を求め、その最大値を水平方向局所輝度ムラ判定値および水平方向局所色度ムラ判定値とする。
Diff_L_H = ABS((H/4)/SQR((L1-L3)^2+(H/4)^2)*((L1+L3)/2-L2))・・・〔式3-1〕
Diff_x_H = ABS((H/4)/SQR((x1-x3)^2+(H/4)^2)*((x1+x3)/2-x2))・・・〔式3-2〕
Diff_y_H = ABS((H/4)/SQR((y1-y3)^2+(H/4)^2)*((y1+y3)/2-y2))・・・〔式3-3〕
ここで、ABS(x)はｘの絶対値を意味し、SQR(x)はｘの平方根を意味し、x^yはｘのｙ乗を意味し、x*yはｘとｙの積を意味する。また、H/4は、両サイドの微小エリア間Ａ１、Ａ３間の距離に相当する。
【００２９】
次に、垂直方向局所輝度ムラ判定値および垂直方向局所色度ムラ判定値を算出する場合には、図７に示すように、パーソナルコンピュータ７は、画面の左上端に接する縦幅Ｖ／６、横幅Ｈ／８のエリアＡ１と、Ａ１の下に接する同じ形状のエリアＡ２と、Ａ２の下に接する同じ形状のエリアＡ３の位置を算出し、各エリア内の平均輝度Ｌ１〜Ｌ３と平均色度ｘ１〜ｘ３、ｙ１〜ｙ３を算出する。
【００３０】
そして、Ｌ１〜Ｌ３、ｘ１〜ｘ３およびｙ１〜ｙ３を〔式３−４〕〜〔式３−６〕に代入することにより、Diff_L_V、Diff_x_VおよびDiff_y_Vを算出する。続いて、Ａ１、Ａ２、Ａ３のブロックを右方向にＨ／１６だけずらした位置のDiff_L_V、Diff_x_V、Diff_y_Vを算出する。さらに続けて右方向にＨ／１６だけずらしながらＡ３が画面の右端に接するまで各位置でのDiff_L_V、Diff_x_V、Diff_y_Vを算出する。
【００３１】
そして、Ａ３が画面の右端に接したら、次はＡ１、Ａ２、Ａ３のブロックをＶ／１２だけ下にずらし再び左端から右端までＨ／１６ピッチでずらしながらDiff_L_V、Diff_x_V、Diff_y_Vを算出する。そして、Ａ１、Ａ２、Ａ３のブロックが右下端に達するまで同様なピッチでずらしながらDiff_L_V、Diff_x_V、Diff_y_Vを算出する。Ａ１、Ａ２、Ａ３のブロックが右下端に達したら、それまで算出したDiff_L_V、Diff_x_V、Diff_y_Vそれぞれの最大値を求め、その最大値を垂直方向局所輝度ムラ判定値および垂直方向局所色度ムラ判定値とする。
Diff_L_V = ABS((V/3)/SQR((L1-L3)^2+(V/3)^2)*((L1+L3)/2-L2))・・・〔式3-4〕
Diff_x_V = ABS((V/3)/SQR((x1-x3)^2+(V/3)^2)*((x1+x3)/2-x2))・・・〔式3-5〕
Diff_y_V = ABS((V/3)/SQR((y1-y3)^2+(V/3)^2)*((y1+y3)/2-y2))・・・〔式3-6〕
【００３２】
図８に示すグラフは、水平方向局所輝度ムラ判定値算出時の水平方向位置Ａ１、Ａ２、Ａ３に対する輝度値Ｌ１、Ｌ２、Ｌ３の関係を示している。図８に示した式から明らかなように、〔式３−１〕で表される水平方向局所輝度ムラ判定値Diff_L_Hは、両サイドの輝度Ｌ１からＬ３への変化に対する真ん中の輝度Ｌ２の出っ張り量（ｂｄ間距離）をあらわしている。従って、このDiff_L_Hを水平方向局所輝度ムラ判定値に用いることにより、画面全体での輝度の変化は無視して局所的に島状になった輝度ムラのみを抽出することができる。
【００３３】
従って、例えば、ＬＣＤディスプレイにおけるバックライトの輝度ムラのような画面全体的に変化する輝度ムラは良品とするが局所的に島状になった輝度ムラは同程度の輝度差でも目立つため不良品とするという場合が考えられるが、本判定値を用いれば画面全体的に変化する輝度ムラは無視し局所的に島状になった輝度ムラのみをＮＧ判定することが可能である。
【００３４】
なお、図８では水平方向局所輝度ムラ判定値の場合のみを示したが、水平方向局所色度ムラ判定値および垂直方向局所輝度ムラ判定値、局所色度ムラ判定値を表す〔式３−２〕〜〔式３−６〕の意味するところも原理は同じである。
【００３５】
次に、パーソナルコンピュータ７は、水平方向局所輝度ムラ判定値、水平方向局所色度ムラ判定値、垂直方向局所輝度ムラ判定値および垂直方向局所色度ムラ判定値があらかじめ設定した許容範囲内に入っているかどうかを判定し、許容範囲内に入っていない場合には検査結果ＮＧであることをディスプレイ８に表示して検査を終了する。
【００３６】
水平方向局所輝度ムラ判定値、水平方向局所色度ムラ判定値、垂直方向局所輝度ムラ判定値および垂直方向局所色度ムラ判定値が許容範囲内に入っている場合、パーソナルコンピュータ７は、Ｉ／Ｆボックス６を介して携帯電話１を制御し、ディスプレイ１−２に全白画面を表示させる。そしてディスプレイ１−１と同様な処理を行うことによりディスプレイ１−１と同様な検査を行う。
【００３７】
ディスプレイ１−１とディスプレイ１−２の全ての検査項目がＯＫとなった場合、パーソナルコンピュータ７は、検査結果ＯＫをディスプレイに表示して検査を終了する。
【００３８】
なお、上記実施例では、〔式３−１〕〜〔式３−６〕により、水平方向、垂直方向の局所輝度ムラ判定、および局所色度ムラ判定を行っているが、図８において、両サイドの輝度Ｌ１からＬ３への変化に対する真ん中の輝度Ｌ２の出っ張り量ｂｄの代わりに、両サイドブロックの平均輝度値Ｌ１、Ｌ３および平均色度値ｘ１、ｙ１、ｘ３、ｙ３の平均値(L1+L3)/2および(x1+x3)/2、(y1+y3)/2と、真ん中のブロックの平均輝度値Ｌ２および平均色度値ｘ２、ｙ２との差ｂｅによって、水平方向、垂直方向の局所輝度ムラ判定、および局所色度ムラ判定を行うことも可能である。しかし、判定精度は上記実施例よりも落ちる。
【００３９】
また、本発明の実施例では、携帯電話に搭載されたディスプレイを検査する場合を示したが、本発明は、その他の、パーソナルコンピュータ用のディスプレイ、テレビジョン用のディスプレイ等、あらゆる種類のディスプレイの検査に実施可能である。
【図面の簡単な説明】
【００４０】
【図１】本発明のディスプレイ検査装置の実施形態を示す概念図である。
【図２】本実施形態のディスプレイ検査装置の動作フローチャートである。
【図３】本実施形態における画像データの処理を説明するための図である。
【図４】本実施形態における画像データの処理を説明するための図である。
【図５】本実施形態における画像データの処理を説明するための図である。
【図６】本実施形態における画像データの処理を説明するための図である。
【図７】本実施形態における画像データの処理を説明するための図である。
【図８】本実施形態における画像データの局所輝度ムラ判定値の算出方法を説明するための図である。
【符号の説明】
【００４１】
１  ディスプレイ１−１と１−２を備えた携帯電話機
１−１、１−２  ディスプレイ
２  ディスプレイ１−１の画面を撮像するＣＣＤカメラ
３  ディスプレイ１−２の画面を撮像するＣＣＤカメラ
４  ＣＣＤカメラ２、３から出力される映像信号をＡ／Ｄ変換する画像入力ボード
５  ＤＣ電源
６  Ｉ／Ｆボックス
７  自動検査制御装置（パーソナルコンピュータ）
８  検査結果を表示するディスプレイ
９  画像データ
１０−１〜１０−４  画面輪郭線
１１  画面中心の矩形エリア
１２  画面周辺エリア
Ａ１、Ａ２、Ａ３  水平又は垂直方向に連続して接する３つの微小エリア
【図１】
2005127846.tif 000003
【図２】
2005127846.tif 000004
【図３】
2005127846.tif 000005
【図４】
2005127846.tif 000006
【図５】
2005127846.tif 000007
【図６】
2005127846.tif 000008
【図７】
2005127846.tif 000009
【図８】
2005127846.tif 000010